(57)【要約】【解決手段】  防犯ベル収納ポケット部分が収縮性と透視性を有する素材から構成され、防犯ベルカバー内部に防犯ベル本体が存在することを外部から容易に視認することができるようにした。カバー内部で防犯ベルが揺動しないように支持できるようにした。面ファスナーにより鞄の提手又は肩掛けベルトに容易に且つ迅速に装着することができるようにした。【効果】  (1)防犯ベルに衝撃を与えずにスムーズに収納する機能、(2)違和感なく防犯ベルを携行することができる機能、(3)多種多様な形状やサイズの防犯ベルを収納できる機能、(4)有事に防犯ベルを携行者の体の前面で咄嗟に且つ迅速に操作できる機能、(5)不審者を牽制するために防犯ベル本体が防犯ベルカバー内部に存在することを不審者に対して視覚的に顕示して防犯につながる機能の全てを同時に発揮できる。【選択図】図１
0003136056.tif 000002
【実用新案登録請求の範囲】
【請求項１】
防犯ベル収納ポケット部分が収縮性と透視性を有する素材から構成され、防犯ベルカバー内部に防犯ベル本体が存在することを外部から容易に視認することができると共にカバー内部で防犯ベルが揺動しないように支持するを特徴とし、並びに、面ファスナーにより鞄の提手又は肩掛けベルトに容易に且つ迅速に装着することを特徴とする防犯ベルカバー。
【請求項２】
防犯ベルカバーを構成する基材（１）が四角形又は楕円形の形状を有する皮革又は人工皮革からなり、ポケットの開口部を上方にしたときに、ポケットの上下の橋に近い部分をＬ字形又はＬ字を左右反転させた形に切れ目（２）を入れることにより、舌状片（３’）と端片（３”）を形成し、舌状片（３’）の裏側部分に面ファスナーＡ（３）をファスニング面が裏を向くように縫着し、端片（３”）の裏側部分に面ファスナーＢ（４）をファスニング面が表を向くように縫着することにより、鞄の提手又は肩掛けベルトに容易に且つ迅速に装着することができることを特徴とした請求項１に記載した防犯ベルカバー。
【考案の詳細な説明】
【技術分野】
【０００１】
本考案は、防犯ベルを収納する防犯ベルカバーに関する。
【背景技術】
【０００２】
防犯ベルカバーは、幼児・児童及び女性が、不審者から自己防衛をするための防犯ベルを収納する機能を有する。したがって、防犯ベルカバーには、(1)防犯ベルに衝撃を与えることなく紛失することなくスムーズに収納する機能、(2)鞄にフィットして違和感なく防犯ベルを携行することができる機能、(3)多種多様な形状やサイズの防犯ベルを収納することができる機能、(4)有事に防犯ベルを携行者の体の前面で咄嗟に且つ迅速に操作をすることができる機能、(5)不審者を牽制するために防犯ベル本体が防犯ベルカバー内部に存在することを不審者に対して視覚的に顕示して防犯につながる機能等が求められる。
しかしながら、従来の防犯ベルカバーは、これらの５つの機能の全てを同時に具備していなかった。
【０００３】
【特許文献１】特開２０００−２１０１１４号公報
【考案の開示】
【考案の効果】
【０００４】
本考案に係る防犯ベルカバーの効果は、(1)防犯ベルに衝撃を与えることなく紛失することなくスムーズに収納する機能、(2)鞄にフィットして違和感なく防犯ベルを携行することができる機能、(3)多種多様な形状やサイズの防犯ベルを収納することができる機能、(4)有事に防犯ベルを携行者の体の前面で咄嗟に且つ迅速に操作をすることができる機能、(5)不審者を牽制するために防犯ベル本体が防犯ベルカバー内部に存在することを不審者に対して視覚的に顕示して防犯につながる機能の全てを具備した防犯ベルカバーを提供することができる。
【考案が解決しようとする課題】
【０００５】
本考案が解決しようとする課題は、(1)防犯ベルに衝撃を与えることなく紛失することなくスムーズに収納する機能、(2)鞄にフィットして違和感なく防犯ベルを携行することができる機能、(3)多種多様な形状やサイズの防犯ベルを収納することができる機能、(4)有事に防犯ベルを携行者の体の前面で咄嗟に且つ迅速に操作をすることができる機能、(5)不審者を牽制するために防犯ベル本体が防犯ベルカバー内部に存在することを不審者に対して視覚的に顕示して防犯につながる機能の全てを同時に具備した防犯ベルカバーを提供することである。
【課題を解決するための手段】
【０００６】
本考案に係る防犯ベルカバーは、防犯ベル収納ポケット部分が収縮性と透視性を有する素材から構成され、防犯ベルカバー内部に防犯ベル本体が存在することを外部から容易に視認することができると共にカバー内部で防犯ベルが揺動しないように支持することができることを特徴とし、並びに、面ファスナーにより鞄の提手又は肩掛けベルトに容易に且つ迅速に装着することができることを特徴とする。
【０００７】
本考案に係る防犯ベルカバーは、防犯ベルカバーを構成する基材（１）が、四角形又は楕円形の皮革又は人工皮革からなる。
本考案の典型的態様（長方形型防犯ベルカバー）においては、基材（１）の上下両端部の位置にポケット開口部と平行に両端が１０〜３０ｍｍだけ残るような切れ目（２）を入れ、前記切れ目（２）の一端について直角に上方向に切れ目（２）を入れることにより、基材（１）の上下片側に、それぞれ、幅１０〜３０ｍｍ及び長さ２０〜１９０ｍｍの舌状片（３’）、及び、幅１０〜３０ｍｍ及び長さ１０〜３０ｍｍの端片（３”）を設ける。
【０００８】
舌状片（３’）の裏側全面には、舌状片（３’）と同じサイズの面ファスナーＡ（３）を、ファスニング面が防犯ベル収納ポケット部分の裏面を向くように縫着する。
その後、端片（３”）の裏側全面には、舌状片（３’）と同じ幅と同じ長さを有する面ファスナーＢ（４）を、面ファスナーＡ（３）と面ファスニングできる位置関係で、ファスニング面が防犯ベル収納ポケット部分の表面を向くように縫着する。
このような面ファスナーの構成により、面ファスナーＡ（３）と面ファスナーＢ（４）を面ファスニングすることにより、鞄の提手又は肩掛けベルトに容易に且つ迅速に装着することができることを特徴を有する。
【考案を実施するための最良の形態】
【０００９】
本考案を実施するための最良の態様につき、本考案に係る防犯ベルカバーの制作方法を図２〜図６に、本考案に係る防犯ベルカバーの鞄の提手又は肩掛けベルトへの装着方法を図７〜図９に、本考案に係る防犯ベルカバーの基本構造を図１０（長方形型）と図１１（楕円形型）に、本考案に係る防犯ベルカバーへの防犯ベル本体の装着方法を図１２〜図１３に示した。
【００１０】
図２に、本考案に係る防犯ベルカバーを制作するに当たり、防犯ベルカバー裏面における、基材（１）への切れ目（２）の入れ方を示した。
本考案の典型的態様（長方形型防犯ベルカバー）においては、基材（１）の寸法は、長辺１５０ｍｍ及び短辺７５ｍｍであり、基材（１）の材質は、人工皮革である。
【００１１】
本考案の典型的態様（長方形型防犯ベルカバー）においては、基材（１）のポケット開口部と平行に基材の上下端部内側２０ｍｍの位置に、両端が１５ｍｍが残るような切れ目（２）を入れ、この切れ目（２）の一端について直角上方向に切れ目（２）を入れることにより、基材（１）の両端辺側に、それぞれ、幅２０ｍｍ及び長さ６０ｍｍの舌状片（３’）、及び、幅１５ｍｍ及び長さ２０ｍｍの端片（３”）を設けた。
【００１２】
前記舌状片（３’）の裏側全面には、舌状片（３’）と同じサイズの面ファスナーＡ（３）を、ファスニング面が防犯ベル収納ポケット部分の裏面を向くように縫着した（図３及び図４）。
【００１３】
前記端片（３”）の裏側全面では、舌状片（３’）と同じ幅（２０ｍｍ）で同じ長さ（７５ｍｍ）を有する面ファスナーＢ（４）を、面ファスナーＡ（３）と面ファスニングできる位置関係で、ファスニング面が防犯ベル収納ポケット部分の表面を向くように縫着した（図５及び図６）。
【００１４】
このような態様で面ファスナーを縫着固定することにより、面ファスナーを利用して、防犯ベルカバーを、鞄の提手又は肩掛けベルトに容易に且つ迅速に装着することができる（図７〜図９）。
【００１５】
本考案に係る防犯ベルカバーの基本構造と、本考案に係る防犯ベルカバーを構成する部材を、図１０（長方形型）と図１１（楕円形型）に示す。
防犯ベルカバーの上下両端部分に面ファスナーを縫着してあるので、鞄の提手又は肩掛けベルトに容易に且つ迅速に装着することができる。
【００１６】
防犯ベル収納ポケット部分は、収縮性のある網素材を使用することにより透視性を発揮し、内容物であるポケットベル本体をしっかりと保持することができる。
防犯ベル収納ポケット部分の開口部は、基材（１）と縫着固定がされておらず、ポケット部の入り口となっている。
開口部では、網素材を、収縮性布テープ（ゴムテープ）のみに縫着し、基材（１）には縫着していないので、ポケット部の入り口が収縮性を有するために、防犯ベル本体をポケット内部に収納しても、防犯ベル本体が、入り口から脱落したり、落下することがない。
【００１７】
防犯ベル収納ポケット部分の開口部以外の３辺の周囲は、バイアステープと基材（１）で網素材を挟んで縫製することにより固定してある。
【００１８】
本考案に係る防犯ベルカバーへの防犯ベル本体の装着方法を図１２及び図１３に示した。
【符号の説明】
【００１９】
１． 基材（人工皮革または皮革）
２． 切れ目
３．面ファスナーＡ
３’．舌状片（裏側が面ファスナーＡの縫着箇所）
３”．端片（裏側が面ファスナーＢの縫着箇所）
４．面ファスナーＢ
５．透視性と収縮性を兼備した素材（網）
６．収縮性布テープ（ゴム素材）
７．バイアステープ
８．防犯ベル本体
【図面の簡単な説明】
【００２０】
【図１】防犯ベルカバーの基本構造と構成部材を示した（請求項２の説明図面）。
【図２】防犯ベルカバー基材の切れ目の入れ方を示した（防犯ベルカバー裏面）。
【図３】防犯ベルカバー基材への面ファスナーＡの固定箇所を示した（防犯ベルカバー裏面）。
【図４】防犯ベルカバー基材への面ファスナーＡの固定（縫着）を示した（防犯ベルカバー裏面）。
【図５】防犯ベルカバー基材への面ファスナーＢの固定箇所を示した（防犯ベルカバー表面）。
【図６】防犯ベルカバー基材への面ファスナーＢの固定（縫着）を示した（防犯ベルカバー表面）。
【図７】面ファスナーＡと面ファスナーＢのファスニング面の位置関係を示した  （防犯ベルカバー表面）。
【図８】防犯ベルカバーの鞄の提手又はショルダーベルトへの装着状態を示した（防犯ベルカバー裏面）。
【図９】防犯ベルカバーの鞄の提手又はショルダーベルトへの装着状態を示した（防犯ベルカバー表面）。
【図１０】長方形型防犯ベルカバーの基本構造を示した（防犯ベルカバー表面）。
【図１１】楕円形型防犯ベルカバーの基本構造を示した（防犯ベルカバー表面）。
【図１２】防犯ベルカバーへの防犯ベル本体の装着方法を示した（防犯ベルカバー表面）。
【図１３】防犯ベルカバーへの防犯ベル本体の装着方法を示した（防犯ベルカバー表面）。
【図１】
0003136056.tif 000003
【図２】
0003136056.tif 000004
【図３】
0003136056.tif 000005
【図４】
0003136056.tif 000006
【図５】
0003136056.tif 000007
【図６】
0003136056.tif 000008
【図７】
0003136056.tif 000009
【図８】
0003136056.tif 000010
【図９】
0003136056.tif 000011
【図１０】
0003136056.tif 000012
【図１１】
0003136056.tif 000013
【図１２】
0003136056.tif 000014
【図１３】
0003136056.tif 000015